(57)【要約】【課題】用紙の同一面に重ねて画像形成する場合の手間を削減すること。【解決手段】用紙Ｐに画像を形成する画像形成部１０と、用紙Ｐを画像形成部１０に搬送する画像形成経路Ｒ１と、画像形成部１０よりも用紙搬送方向下流の画像形成経路Ｒ１から分岐し、画像形成部１０よりも用紙搬送方向上流において用紙Ｐの画像形成面が同一面となるように画像形成経路Ｒ１に合流して用紙を循環させる循環経路Ｒ３と、画像形成部１０により画像が形成された用紙Ｐを、循環経路Ｒ３により循環させ、画像形成部１０により画像形成面に画像を形成する重ね書き処理を実行する制御部１１と、を備える。【選択図】図１
2019015873.tif 000002
【特許請求の範囲】
【請求項１】
用紙に画像を形成する画像形成部と、
用紙を前記画像形成部に搬送する画像形成経路と、
前記画像形成部よりも用紙搬送方向下流の前記画像形成経路から分岐し、前記画像形成部よりも用紙搬送方向上流において用紙の画像形成面が同一面となるように前記画像形成経路に合流して用紙を循環させる循環経路と、
前記画像形成部により画像が形成された用紙を、前記循環経路により循環させ、前記画像形成部により前記画像形成面に画像を形成する重ね書き処理を実行する制御部と、
を備えることを特徴とする画像形成装置。
【請求項２】
前記画像形成部は、イエロー、マゼンタ、シアン、ブラックを含む通常カラーの画像と、前記通常カラー以外の色である特色の画像とを用紙に形成可能であることを特徴とする請求項１に記載の画像形成装置。
【請求項３】
前記制御部は、用紙の一面に対して２回以上の前記重ね書き処理を実行する場合、最初の画像形成時又は最後の画像形成時に特色の画像を形成し、その他の画像形成時に通常カラーの画像を形成することを特徴とする請求項２に記載の画像形成装置。
【請求項４】
前記制御部は、用紙の同一面に対して複数回画像形成を行う重ね書きモードが選択された場合に、前記重ね書き処理を実行することを特徴とする請求項１から３のいずれか一項に記載の画像形成装置。
【請求項５】
用紙に画像を形成する画像形成部と、用紙を前記画像形成部に搬送する画像形成経路と、前記画像形成部よりも用紙搬送方向下流の前記画像形成経路から分岐し、前記画像形成部よりも用紙搬送方向上流において用紙の画像形成面が同一面となるように前記画像形成経路に合流して用紙を循環させる循環経路と、制御部と、を備える画像形成装置における画像形成方法であって、
前記制御部は、前記画像形成部により画像が形成された用紙を、前記循環経路により循環させ、前記画像形成部により前記画像形成面に画像を形成する重ね書き処理を実行する工程を含むことを特徴とする画像形成方法。
【請求項６】
用紙に画像を形成する画像形成部と、用紙を前記画像形成部に搬送する画像形成経路と、前記画像形成部よりも用紙搬送方向下流の前記画像形成経路から分岐し、前記画像形成部よりも用紙搬送方向上流において用紙の画像形成面が同一面となるように前記画像形成経路に合流して用紙を循環させる循環経路と、を備える画像形成装置のコンピューターを、
前記画像形成部により画像が形成された用紙を、前記循環経路により循環させ、前記画像形成部により前記画像形成面に画像を形成する重ね書き処理を実行する制御部として機能させるためのプログラム。
【発明の詳細な説明】
【技術分野】
【０００１】
本発明は、画像形成装置、画像形成方法及びプログラムに関する。
【背景技術】
【０００２】
従来、シアン、マゼンタ、イエロー、ブラックなどの通常カラーに加えて、クリアやホワイトなどの特色を扱うことのできる画像形成装置が知られている。
例えば、特許文献１には、５つの感光体ドラムが中間転写ベルトに対向するように配置され、４つの感光体ドラムで、それぞれ、ブラック、イエロー、マゼンタ、シアンの通常カラーのトナー画像が形成され、その他の１つの感光体ドラムで、透明トナーや白色トナー等の特色トナーによるトナー画像が形成される画像形成部を備えた画像形成装置が開示されている。この画像形成部においては、特色トナーによるトナー画像と、通常カラーによるトナー画像とが中間転写ベルト上に転写（一次転写）され、中間転写ベルト上に担持されたトナー画像は、中間転写ベルトと二次転写部材との対向位置で、用紙上に転写（二次転写）される。
【先行技術文献】
【特許文献】
【０００３】
【特許文献１】特開２０１６−９０８８３号公報
【発明の概要】
【発明が解決しようとする課題】
【０００４】
ところで、特色の使用方法として、例えば、通常カラーで画像を用紙に形成した後、用紙全体にコーティングとしてクリアを重ねたり、あるいは、用紙全体に下地としてホワイトのベタ画像を形成した後、通常カラーで画像形成したいといった要望がある。
このように、用紙の同一面に重ねて画像形成する場合、上記特許文献１の装置では、一度目の画像形成を行った用紙を、再度、装置内にセットする必要があり、手間がかかるものであった。
【０００５】
本発明は、上記課題に鑑みてなされたものであって、用紙の同一面に重ねて画像形成する場合の手間を削減することのできる画像形成装置、画像形成方法及びプログラムを提供することを目的とする。
【課題を解決するための手段】
【０００６】
上記課題を解決するため、請求項１に記載の発明は、画像形成装置において、
用紙に画像を形成する画像形成部と、
用紙を前記画像形成部に搬送する画像形成経路と、
前記画像形成部よりも用紙搬送方向下流の前記画像形成経路から分岐し、前記画像形成部よりも用紙搬送方向上流において用紙の画像形成面が同一面となるように前記画像形成経路に合流して用紙を循環させる循環経路と、
前記画像形成部により画像が形成された用紙を、前記循環経路により循環させ、前記画像形成部により前記画像形成面に画像を形成する重ね書き処理を実行する制御部と、
を備えることを特徴とする。
【０００７】
また、請求項２に記載の発明は、請求項１に記載の画像形成装置において、
前記画像形成部は、イエロー、マゼンタ、シアン、ブラックを含む通常カラーの画像と、前記通常カラー以外の色である特色の画像とを用紙に形成可能であることを特徴とする。
【０００８】
また、請求項３に記載の発明は、請求項２に記載の画像形成装置において、
前記制御部は、用紙の一面に対して２回以上の前記重ね書き処理を実行する場合、最初の画像形成時又は最後の画像形成時に特色の画像を形成し、その他の画像形成時に通常カラーの画像を形成することを特徴とする。
【０００９】
また、請求項４に記載の発明は、請求項１から３のいずれか一項に記載の画像形成装置において、
前記制御部は、用紙の同一面に対して複数回画像形成を行う重ね書きモードが選択された場合に、前記重ね書き処理を実行することを特徴とする。
【００１０】
また、請求項５に記載の発明は、
用紙に画像を形成する画像形成部と、用紙を前記画像形成部に搬送する画像形成経路と、前記画像形成部よりも用紙搬送方向下流の前記画像形成経路から分岐し、前記画像形成部よりも用紙搬送方向上流において用紙の画像形成面が同一面となるように前記画像形成経路に合流して用紙を循環させる循環経路と、制御部と、を備える画像形成装置における画像形成方法であって、
前記制御部は、前記画像形成部により画像が形成された用紙を、前記循環経路により循環させ、前記画像形成部により前記画像形成面に画像を形成する重ね書き処理を実行する工程を含むことを特徴とする。
【００１１】
また、請求項６に記載の発明は、
用紙に画像を形成する画像形成部と、用紙を前記画像形成部に搬送する画像形成経路と、前記画像形成部よりも用紙搬送方向下流の前記画像形成経路から分岐し、前記画像形成部よりも用紙搬送方向上流において用紙の画像形成面が同一面となるように前記画像形成経路に合流して用紙を循環させる循環経路と、を備える画像形成装置のコンピューターを、
前記画像形成部により画像が形成された用紙を、前記循環経路により循環させ、前記画像形成部により前記画像形成面に画像を形成する重ね書き処理を実行する制御部として機能させるためのプログラムである。
【発明の効果】
【００１２】
本発明によれば、用紙に重ねて画像形成する場合の手間を削減することができる。
【図面の簡単な説明】
【００１３】
【図１】本実施の形態にかかる画像形成装置を模式的に示す構成図である。
【図２】図１の画像形成装置の制御系の構成を概略的に示すブロック図である。
【図３】本実施の形態において実行される画像形成処理を示すフローチャートである。
【発明を実施するための形態】
【００１４】
以下、本実施の形態を図面に基づいて詳細に説明する。ただし、発明の範囲は図示例に限定されない。
【００１５】
［画像形成装置１００の構成］
まず、本実施の形態における画像形成装置１００の構成について説明する。
図１は、本実施形態にかかる画像形成装置１００を模式的に示す構成図である。この画像形成装置１００は、例えば複写機といった電子写真方式の画像形成装置１００であり、複数の感光体を一本の中間転写ベルトに対面させて縦方向に配列することによりフルカラーの画像を形成する、いわゆる、タンデム型カラー画像形成装置である。
【００１６】
画像形成装置１００は、原稿読取装置ＳＣ、画像形成部１０、用紙搬送部２０、制御部１１を主体に構成され、これらが一つの筐体内に収められている。
【００１７】
原稿読取装置ＳＣは、走査露光装置の光学系により原稿の画像を走査露光し、その反射光をラインイメージセンサーにより読み取り、これにより、画像信号を得る。この画像信号は、Ａ／Ｄ変換、シェーディング補正、圧縮等の処理が施された後、画像データとして制御部１１に入力される。なお、制御部１１に入力される画像データとしては、原稿読取装置ＳＣで読み取ったものに限らず、例えば、通信部１３により画像形成装置１００に接続されたパーソナルコンピューターや他の画像形成装置から受信したものであってもよい。
【００１８】
画像形成部１０は、４組の通常カラーの画像形成ユニット１０Ｙ，１０Ｍ，１０Ｃ，１０Ｋ、１組の特色の画像形成ユニット１０Ｗ、中間転写ベルト６、二次転写ローラー８、定着装置９等を備えて構成されている。
画像形成ユニット１０Ｙ，１０Ｍ，１０Ｃ，１０Ｋは、イエロー（Ｙ）の画像を形成する画像形成ユニット１０Ｙ、マゼンタ（Ｍ）の画像を形成する画像形成ユニット１０Ｍ、シアン（Ｃ）の画像を形成する画像形成ユニット１０Ｃ、ブラック（Ｋ）の画像を形成する画像形成ユニット１０Ｋで構成されている。
また、画像形成ユニット１０Ｗは、ホワイト（Ｗ）の画像を形成する画像形成ユニット１０Ｗで構成されている。
【００１９】
画像形成ユニット１０Ｙは、感光体ドラム１Ｙ及びその周辺に配置された帯電部２Ｙ、光書込部３Ｙ、現像装置４Ｙ及びドラムクリーナー５Ｙで構成されている。同様に、画像形成ユニット１０Ｍ，１０Ｃ，１０Ｋ，１０Ｗは、感光体ドラム１Ｍ，１Ｃ，１Ｋ，１Ｗ及びその周辺に配置された帯電部２Ｍ，２Ｃ，２Ｋ，２Ｗ、光書込部３Ｍ，３Ｃ，３Ｋ，３Ｗ、現像装置４Ｍ，４Ｃ，４Ｋ，４Ｗ及びドラムクリーナー５Ｍ，５Ｃ，５Ｋ，５Ｗで構成されている。
【００２０】
感光体ドラム１Ｙ〜１Ｗは、帯電部２Ｙ〜２Ｗによりその表面が一様に帯電させられており、光書込部３Ｙ〜３Ｗによる走査露光により、感光体ドラム１Ｙ〜１Ｗには潜像が形成される。さらに、現像装置４Ｙ〜４Ｗは、トナーで現像することによって感光体ドラム１Ｙ〜１Ｗ上の潜像を顕像化する。これにより、感光体ドラム１Ｙ〜１Ｗ上には、イエロー、マゼンタ、シアン、ブラック及びホワイトのいずれかに対応する所定色のトナー画像が形成される。感光体ドラム１Ｙ〜１Ｗ上に形成されたトナー画像は、一次転写ローラー７Ｙ，７Ｍ，７Ｃ，７Ｋ，７Ｗにより、回転する中間転写ベルト６上の所定位置へと逐次転写される。
【００２１】
中間転写ベルト６上に転写された各色よりなるトナー画像は、後述する用紙搬送部２０により所定のタイミングで搬送される用紙Ｐに対して、二次転写ローラー８によって転写される。この二次転写ローラー８は中間転写ベルト６と圧接して配置されることによりニップ部（以下「転写ニップ部」という）を形成する圧接部材である。
【００２２】
定着装置９は、トナー画像が転写された用紙Ｐ、すなわち、転写ニップ部から送り出された用紙Ｐに定着処理を施す装置であり、例えば、一対の定着部材（例えば一対のローラー）と、当該定着部材の一方又は双方を加熱するヒーターとで構成されている。この定着装置９は、用紙Ｐの搬送過程において、一対の定着部材による加圧と定着部材の有する熱との作用を通じて、用紙Ｐへのトナー画像の定着を行う。
【００２３】
用紙搬送部２０は、用紙Ｐの搬送経路に従って用紙Ｐを搬送する。
用紙搬送部２０は、用紙Ｐを画像形成部１０に搬送する画像形成経路Ｒ１、切替ゲートＧ、画像形成後の用紙Ｐを外部に排出する排紙経路Ｒ２、画像形成後の用紙Ｐを循環させる循環経路Ｒ３、及び用紙Ｐの両面に画像形成するためのＡＤＵ反転経路Ｒ４を備えている。
【００２４】
各搬送経路においては、用紙Ｐを搬送する複数の搬送手段が設けられている。個々の搬送手段は、圧接された一対のローラーによって構成されており、電動モーターを主体とする駆動機構を通じて少なくとも一方のローラーが回転駆動することにより用紙Ｐを搬送する。
また、個々の搬送手段を構成する一対のローラーは、ローラー間の状態を圧接状態と離間状態とで切り替えることができように構成されている。
なお、搬送手段は、一対のローラーで構成する以外にも、ベルト同士の組み合わせや、ベルト及びローラーの組み合わせといったように、一対の回転部材からなる構成を広く採用することができる。
【００２５】
画像形成経路Ｒ１は、給紙トレイから切替ゲートＧに至るまで、用紙Ｐを搬送する経路である。
用紙Ｐは、画像形成装置１００の下部に位置する給紙トレイ２１に収容されており、当該給紙トレイ２１に収容された用紙Ｐは、給紙部２２により取り込まれ、画像形成経路Ｒ１へと送り出される。
あるいは、用紙Ｐは、画像形成装置１００と接続された給紙装置（図示せず）が有する給紙トレイに収容されており、給紙装置が保有する用紙Ｐは、当該給紙装置から画像形成装置１００へと供給され、画像形成経路Ｒ１へと送り出される。
また、用紙Ｐは、画像形成装置１００に設けられた手差しトレイに載置され、画像形成経路Ｒ１へと送り出されることとしても良い。
【００２６】
画像形成経路Ｒ１上には、画像形成部１０が設けられている。また、画像形成経路Ｒ１には、用紙搬送方向の上流側から下流側にかけて、中間搬送ローラー２３、ループローラー２４及びレジストローラ２５が搬送手段として設けられている。
【００２７】
用紙Ｐは、中間搬送ローラー２３及びループローラー２４により順次搬送されて、画像形成経路Ｒ１を進行する。用紙Ｐの先端がレジストローラ２５へと近づくと、ループローラー２４等によって搬送される用紙Ｐは、回転停止状態のレジストローラ２５に突き当てられ、そして、ループローラー２４が所定時間だけ回転を継続することで、用紙Ｐにループが形成される。このループ形成の作用により、用紙Ｐの先端の曲がりが矯正される（スキュー補正）。
つぎに、中間転写ベルト６が担持するトナー画像と同期するように所定のタイミングでレジストローラ２５が回転を開始すると、中間搬送ローラー２３及びループローラー２４は、圧接状態から離間状態へと切り替えられ、用紙Ｐは、レジストローラ２５のみによって画像形成部１０の転写ニップ部へと搬送され、その後、二次転写ローラー８によって定着装置９へと搬送される。定着装置９において定着処理が施された用紙Ｐは、切替ゲートＧまで搬送される。
【００２８】
切替ゲートＧは、用紙搬送方向において定着装置９の下流側に設けられ、画像形成経路Ｒ１から搬送されてきた用紙Ｐを搬送するための経路を切り替える。具体的に、切替ゲートＧは、定着装置９を通過した用紙Ｐを循環経路Ｒ３又はＡＤＵ反転経路Ｒ４に搬送する場合、用紙Ｐを下方に案内する。また、切替ゲートＧは、用紙Ｐを排紙経路Ｒ２に搬送する場合、用紙Ｐを直進させる。
なお、切替ゲートＧは、通常、用紙Ｐを直進させる（排紙経路Ｒ２に送る）状態となっている。そして、用紙Ｐを下方に搬送する（排紙経路Ｒ２又は循環経路Ｒ３に送る）際には図示しない駆動部により駆動され、用紙Ｐを下方に搬送させた後、元の状態に戻る。
【００２９】
排紙経路Ｒ２は、定着装置９により定着処理が施された用紙Ｐを、筐体の外部側面に取り付けられた排紙トレイ２６に排出させる搬送経路である。
【００３０】
循環経路Ｒ３は、定着装置９により定着処理が施された用紙Ｐを、画像形成面を変更することなく（即ち、表裏を入れ替えることなく）、再度、画像形成経路Ｒ１に回帰させるための搬送経路である。
循環経路Ｒ３は、画像形成経路Ｒ１の画像形成部１０よりも用紙搬送方向下流（切替ゲートＧの位置）から分岐し、画像形成経路Ｒ１の途中に設けられた合流点５１に至るように配されている。
この循環経路Ｒ３には、用紙Ｐの搬送方向の上流側から下流側にかけて、反転ローラー２７、中間搬送ローラー２８が搬送手段として設けられている。なお、中間搬送ローラー２８は、通過する最小の用紙Ｐの用紙搬送方向の長さよりも短い間隔となるように配置されている。
循環経路Ｒ３に供給された用紙Ｐは、中間搬送ローラー２８により搬送されて合流点５１に到達する。合流点５１に到達した用紙Ｐは、再度、画像形成経路Ｒ１へと送り出されることとなる。
【００３１】
ＡＤＵ反転経路Ｒ４は、定着装置９により定着処理が施された用紙Ｐを、表裏を反転させて画像形成経路Ｒ１に回帰させるための搬送経路であり、循環経路Ｒ３の途中（反転ローラー２７の用紙搬送方向の上流の位置）から分岐し、画像形成経路Ｒ１の途中に設けられた合流点５２に至るように配されている。
例えば、用紙Ｐの裏面にも画像形成する場合などにおいて、循環経路Ｒ３に供給された用紙Ｐは、反転ローラー２７が用紙Ｐの後端を挟持したタイミングで当該反転ローラー２７が反転することで逆送し、その後端からＡＤＵ反転経路Ｒ４に搬送され、画像形成経路Ｒ１の合流点５２に到達する。合流点５２に到達した用紙Ｐは、再度、画像形成経路Ｒ１へと送り出されることとなる。
【００３２】
なお、上記した画像形成経路Ｒ１、循環経路Ｒ３、ＡＤＵ反転経路Ｒ４を一体的に構成し、これを画像形成装置１００の筐体から引き出し可能に構成しても良い。
この際、中間搬送ローラー２８を構成する一対のローラーは、分割されて上方のローラーのみ引き出される構成でも良いし、上方及び下方のローラーが共に引き出される構成でも良い。特に、上方及び下方のローラーが共に引き出される構成であれば、ジャム処理が容易となり、ジャム処理によって不用意に用紙Ｐが切断されるのを回避することができる。
【００３３】
図２は、本実施形態にかかる画像形成装置１００の制御系の構成を概略的に示すブロック図である。
制御部１１は、図２に示すように、記憶部１２、通信部１３、操作部１４、原稿読取装置ＳＣ、画像形成部１０、用紙搬送部２０に接続されている。
【００３４】
制御部１１は、ＣＰＵ（Central Processing Unit）、ＲＡＭ（Random Access Memory）等により構成されている。制御部１１のＣＰＵは、記憶部１２に記憶されているシステムプログラムや各種処理プログラムを読み出してＲＡＭに展開し、展開されたプログラムに従って、画像形成装置１００各部の動作を集中制御する。
例えば、制御部１１は、操作部１４によりジョブ実行指令が入力されると、ジョブを実行し、原稿読取装置ＳＣや通信部１３により入力される画像データに基づいて用紙Ｐにトナー画像を形成させる制御を行う。
また、本実施の形態においては、制御部１１は、画像形成部１０により画像が形成された用紙Ｐを、循環経路Ｒ３により循環させ、画像形成部１０により画像形成面に画像を形成する重ね書き処理を実行することが可能である。
【００３５】
記憶部１２は、不揮発性の半導体メモリーやＨＤＤ（Hard Disk Drive）等により構成され、制御部１１で実行される各種プログラムの他、各部で必要なパラメータやデータ等を記憶している。
【００３６】
通信部１３は、ＮＩＣ（Network Interface Card）、ＭＯＤＥＭ（Modulator-DEModulator）、ＵＳＢ（Universal Serial Bus）等の各種インターフェースを備え、外部機器との接続を行う。
【００３７】
操作部１４は、ユーザーによって設定される種々の情報を制御部１１に出力する。操作部１４としては、例えば、ディスプレイ上に表示される情報に従い、入力操作を行うことが可能なタッチパネルを用いることができる。かかる操作部１４を通じて、ユーザーは、画像形成条件、すなわち、用紙Ｐの種類（例えば、坪量、サイズ、紙質等）、使用する給紙トレイ、画像の濃度、倍率、画像形成モードなどを設定することができる。また、ユーザーは、操作部１４を通じて、ジョブの実行指令や各種モードでの動作指示を入力することができる。また、制御部１１は、操作部１４を制御することにより、当該操作部１４を介してユーザーに種々のメッセージを表示することができる。
【００３８】
［画像形成装置１００の動作］
次に、本実施の形態における画像形成装置１００の動作について説明する。
図３は、画像形成装置１００により実行される画像形成処理を示すフローチャートである。このフローチャートに示す処理は、ユーザーからのジョブの実行指令に応じて、制御部１１と記憶部１２に記憶されているプログラムとの協働によって実行される。
【００３９】
先ず、制御部１１は、通信部１３を介して、外部機器から送信されるジョブ情報を取得する（ステップＳ１）。
ジョブ情報には、画像形成処理に関する各種情報、例えば、モード情報や、形成する画像の画像データなどが含まれている。
モード情報としては、例えば、通常モード、両面モード、重ね書きモードのいずれかが設定されている。通常モードは、用紙Ｐの一面に対して一回画像形成を行うモードである。また、両面モードは、用紙Ｐの両面に対して画像形成を行うモードである。また、重ね書きモードは、用紙Ｐの一面に対して複数回画像形成を行うモードである。
画像データとしては、画像形成モードに応じた一乃至複数の画像データが含まれ、用紙Ｐの表裏どちらの面に形成するか、何回目に形成するか等の情報が付加されている。
【００４０】
次いで、制御部１１は、画像形成部１０により、未処理の画像形成のうちの最優先の画像形成を実行する（ステップＳ２）。
例えば、通常モードにおいては、制御部１１は、用紙Ｐの一面（表面）に通常カラーの画像を形成する。
また、例えば、重ね書きモードにおいては、制御部１１は、一回目の画像形成が未処理の場合にはこれを実行し、一回目の画像形成が終了であって二回目の画像形成が未処理の場合には二回目の画像形成を実行する。具体的には、例えば、一回目の画像形成で用紙Ｐの一面（表面）にホワイトのベタ画像を形成し、二回目の画像形成で用紙Ｐの同一面（表面）に通常カラーの画像を形成する。
また、例えば、両面モードにおいては、制御部１１は、表面の画像形成が未処理の場合にはこれを実行し、表面の画像形成が終了であって裏面の画像形成が未処理の場合には裏面の画像形成を実行する。具体的には、例えば、制御部１１は、一回目の画像形成で用紙Ｐの表面に通常カラーの画像を形成し、二回目の画像形成で用紙Ｐの裏面に通常カラーの画像を形成する。
【００４１】
次いで、制御部１１は、重ね書きモード又は両面モードの設定がなされているか否か判断し（ステップＳ３）、設定がなされていない（通常モードである）場合（ステップＳ３：ＮＯ）、本処理を終了する。
【００４２】
一方、重ね書きモード又は両面モードの設定がなされている場合（ステップＳ３：ＹＥＳ）、制御部１１は、未処理の画像形成があるか否かを判断し（ステップＳ４）、これがない場合（ステップＳ４：ＮＯ）、本処理を終了する。
【００４３】
一方、未処理の画像形成がある場合（ステップＳ４：ＹＥＳ）、制御部１１は、切替ゲートＧを切り替えて、用紙Ｐを循環経路Ｒ３へと搬送する（ステップＳ５）。
【００４４】
次いで、制御部１１は、重ね書きモードの設定がなされているか否か判断し（ステップＳ６）、重ね書きモードの設定がなされている場合（ステップＳ６：ＹＥＳ）、循環経路Ｒ３により用紙Ｐを画像形成経路Ｒ１に回帰させ（ステップＳ７）、その後、上記ステップＳ２に移行して、以降の処理を繰り返す。
【００４５】
一方、重ね書きモードの設定がなされていない（両面モードである）場合（ステップＳ６：ＮＯ）、制御部１１は、反転ローラー２７を反転させることで、用紙ＰをＡＤＵ反転経路Ｒ４へと搬送し、ＡＤＵ反転経路Ｒ４により用紙Ｐを画像形成経路Ｒ１に回帰させた後（ステップＳ８）、上記ステップＳ２に移行して、以降の処理を繰り返す。
【００４６】
以上のように、本実施の形態によれば、用紙Ｐに画像を形成する画像形成部１０と、用紙Ｐを画像形成部１０に搬送する画像形成経路Ｒ１と、画像形成部１０よりも用紙搬送方向下流の画像形成経路Ｒ１から分岐し、画像形成部１０よりも用紙搬送方向上流において用紙Ｐの画像形成面が同一面となるように画像形成経路Ｒ１に合流して用紙を循環させる循環経路Ｒ３と、画像形成部１０により画像が形成された用紙Ｐを、循環経路Ｒ３により循環させ、画像形成部１０により画像形成面に画像を形成する重ね書き処理を実行する制御部１１と、を備える。
このため、用紙Ｐの同一面に重ねて画像形成する場合、一度目の画像形成を行った用紙Ｐを、再度、装置内にセットする必要がない。よって、用紙Ｐの同一面に重ねて画像形成する場合の手間を削減することができる。
【００４７】
また、本実施の形態によれば、画像形成部１０は、イエロー、マゼンタ、シアン、ブラックの通常カラーの画像と、通常カラー以外の色である特色の画像とを用紙Ｐに形成可能である。
このため、特色を含めた複数の色の画像を、用紙Ｐの同一面に重ねて形成することが可能となる。
【００４８】
また、本実施の形態によれば、制御部１１は、用紙Ｐの一面に対して重ね書き処理を実行する場合、最初の画像形成時にホワイトの画像を形成し、その他の画像形成時に通常カラーの画像を形成する。
このため、通常カラーの画像の下地として、ホワイトの画像を形成することができる。
【００４９】
また、本実施の形態によれば、制御部１１は、用紙Ｐの同一面に対して複数回画像形成を行う重ね書きモードが選択された場合に、重ね書き処理を実行する。
このため、ユーザーの任意で重ね書きモードが選択された場合に、重ね書き処理を実行することができる。
【００５０】
なお、上記実施の形態においては、重ね書きモードにおいて、一回目の画像形成にてホワイトのベタ画像を形成し、二回目の画像形成にて通常カラーの画像を形成する場合を例示して説明したが、一回目の画像形成にて通常カラーの画像を形成し、二回目の画像形成にてホワイトの画像を形成しても良い。
また、一回目も二回目も、通常カラーの画像を形成しても良い。例えば、一回目の画像形成にてモノクロ画像を形成し、二回目の画像形成にて赤などの画像を形成しても良い。
【００５１】
また、上記実施の形態においては、特色として、ホワイト（Ｗ）のトナー画像を形成する構成を例示して説明したが、特色はホワイトに限定されず、これ以外にも、例えば、クリア（透明）等であっても良い。
特色がクリアの場合、例えば、一回目の画像形成にて通常カラーの画像を形成し、二回目の画像形成にてクリアによるベタ画像（コーティング）を形成する等の処理を行うことができる。
また、上記実施の形態においては、特色を形成する画像形成ユニットは１つであったが、２色以上の特色を形成する２組以上の画像形成ユニットを備えた構成であっても良い。
【００５２】
また、上記実施の形態においては、通常カラーとして、イエロー、マゼンタ、シアン、ブラックの４色のトナー画像を形成する構成を例示して説明したが、通常カラーはこれに限定されず、これ以外の色も含み得る。
また、上記実施の形態においては、通常カラーを形成する画像形成ユニットは４つであったが、５色以上の通常カラーを形成する５組以上の画像形成ユニットを備えても良いし、３組以下の画像形成ユニットであっても良い。
【００５３】
また、上記実施の形態においては、用紙Ｐの同一面に二回の画像形成を行う場合を例示して説明したが、用紙Ｐの同一面に三回以上の画像形成を行っても良い。即ち、用紙Ｐの一面に対して２回以上の重ね書き処理を行っても良い。
その場合、例えば、一回目の画像形成にてホワイトのベタ画像を形成し、二回目以降の画像形成にて通常カラーの画像を形成することができる。あるいは、最後の画像形成にてクリアによるベタ画像（コーティング）を形成し、その他の画像形成にて通常カラーの画像を形成することもできる。このとき、形成する画像の質感、使用する用紙Ｐの紙種、坪量等に応じて、通常カラーの画像の画像形成回数を設定しても良い。
また、用紙Ｐの両面に対して、一回乃至複数回の重ね書き処理を行っても良い。
【００５４】
また、上記実施の形態においては、合流点５１と合流点５２が離れた位置に設けられた構成を例示して説明したが、合流点５１と合流点５２を同一位置にする構成としても良い。
このようにすることで、次の用紙Ｐの待機位置をより下流側にすることができ、生産性を向上させることができる。
【００５５】
また、上記実施の形態に適用可能な用紙Ｐとしては、定型紙は勿論のこと、用紙搬送方向に長い長尺紙であっても良い。
なお、用紙Ｐが長尺紙である場合、用紙Ｐは、例えば、画像形成装置１００と接続された給紙装置（図示せず）、又は画像形成装置１００に設けられた手差しトレイにより、画像形成経路Ｒ１に送り出すことができる。
【００５６】
また、上記実施の形態においては、本発明に係るプログラムのコンピューター読み取り可能な媒体として、不揮発性メモリー、ハードディスク等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００５７】
また、上記実施の形態においては、電子写真方式の画像形成装置を例示して説明したが、本発明は、例えばインクジェット方式等の他の画像形成方式に適用することも可能である。
【００５８】
その他、画像形成装置の細部構成及び細部動作に関しても、本発明の趣旨を逸脱することのない範囲で適宜変更可能である。
【符号の説明】
【００５９】
１００  画像形成装置
ＳＣ  原稿読取装置
１０  画像形成部
１０Ｙ，１０Ｍ，１０Ｃ，１０Ｋ，１０Ｗ  画像形成ユニット
１Ｙ，１Ｍ，１Ｃ，１Ｋ，１Ｗ  感光体ドラム
２Ｙ，２Ｍ，２Ｃ，２Ｋ，２Ｗ  帯電部
３Ｙ，３Ｍ，３Ｃ，３Ｋ，３Ｗ  光書込部
４Ｙ，４Ｍ，４Ｃ，４Ｋ，４Ｗ  現像装置
５Ｙ，５Ｍ，５Ｃ，５Ｋ，５Ｗ  ドラムクリーナー
６  中間転写ベルト
７Ｙ，７Ｍ，７Ｃ，７Ｋ，７Ｗ  一次転写ローラー
８  二次転写ローラー
９  定着装置
２０  用紙搬送部
２１  給紙トレイ
２２  給紙部
２３  中間搬送ローラー
２４  ループローラー
２５  レジストローラ
２６  排紙トレイ
２７  反転ローラー
２８  中間搬送ローラー
５１、５２  合流点
Ｒ１  画像形成経路
Ｒ２  排紙経路
Ｒ３  循環経路
Ｒ４  反転経路
Ｇ  切替ゲート
１１  制御部
１２  記憶部
１３  通信部
１４  操作部
Ｐ  用紙
【図１】
2019015873.tif 000003
【図２】
2019015873.tif 000004
【図３】
2019015873.tif 000005